(57)【要約】      （修正有）【課題】編み込んだり、縫い付けたりすることなく形成することが出来る装飾品を提供する。【解決手段】所定の面積を有する表面と裏面とを含んで構成され所定の間隔をおいて形成された一対のスリット１６を有する連結部１２が複数連なって形成される装飾品（マフラー）であって、複数の連結部は、基準となる連結部が２つ折りにされて重ね合された一対のスリットに隣接する連結部が挿通され、隣接する連結部が２つ折りにされて重ね合された一対のスリットに次の連結部が挿通されることが繰り返されて連なることを特徴とする。【選択図】図１
0003215702.tif 000002
【実用新案登録請求の範囲】
【請求項１】
所定の面積を有する表面と裏面とを含んで構成され所定の間隔をおいて形成された一対のスリットを有する連結部が複数連なって形成される装飾品であって、
前記複数の連結部は、基準となる連結部が２つ折りにされて重ね合された前記一対のスリットに隣接する連結部が挿通され、該隣接する連結部が２つ折りにされて重ね合された前記一対のスリットに次の連結部が挿通されることが繰り返されて連なることを特徴とする装飾品。
【請求項２】
請求項１の装飾品において、
前記連結部の一対のスリットは、前記連結部の長手方向に交わる中心線で対称となる位置に形成されていることを特徴とする装飾品。
【請求項３】
請求項１または請求項２に記載の装飾品において、
連なった前記複数の連結部の端部に連なる飾り部を備え、
前記飾り部は、前記端部の連結部が２つ折りにされて重ね合された前記一対のスリットに挿入され、複数のスリットにより構成される複数の平紐が両端部に形成されており、前記複数の平紐を通すための一対のスリットが複数形成されていることを特徴とする装飾品。
【考案の詳細な説明】
【技術分野】
【０００１】
本考案は、装飾品に関する。
【背景技術】
【０００２】
従来、マフラーや帽子など体に身に付ける様々な装飾品が考案されている。本考案に関連する技術として、例えば、特許文献１には、首に付けて防寒具として用いるもので、２本のマフラーを仮止め具でリング状とした分割式リングマフラーを、２つの小さなリングにして首に巻くものとし、仮止めした片方の部分を正面にして下げると、他方のリングは首を締め付ける状態になるので、リングを下げる具合を調整して適度な感触にして着用する分割式リングマフラーが開示されている。
【０００３】
また、特許文献２には、生地部と、この生地部の表面に設けられた毛皮・ボア・ファーの如き天然起毛又は人工起毛乃至は植毛された表面素材とから形成された長尺状の装身具本体を有し、身体の首・手首・足首・頭又は額の如き部位に巻き付けるマフラーの如き長尺状の装身具において、前記装身具本体の両端には磁石体が各々埋設されており、該磁石体が、前記装身具本体の一端の端部表面にＳ極の磁力が作用し、他端の端部表面にＮ極の磁力が作用する状態に埋設した構成であることを特徴とする連結可能な身体巻き付け装身具が開示されている。
【先行技術文献】
【特許文献】
【０００４】
【特許文献１】特開２００４−２７７９８４号公報
【特許文献２】特開２０１２−６５７０６号公報
【考案の概要】
【考案が解決しようとする課題】
【０００５】
所定の長さを有する装飾品、例えば、マフラーは、従来、毛糸などを編み込んでつくったり、縫い付けたりするなどして形成されている。
【０００６】
本考案の目的は、編み込んだり、縫い付けたりすることなく形成することが出来る装飾品を提供することである。
【課題を解決するための手段】
【０００７】
本考案に係る装飾品は、所定の面積を有する表面と裏面とを含んで構成され所定の間隔をおいて形成された一対のスリットを有する連結部が複数連なって形成される装飾品であって、前記複数の連結部は、基準となる連結部が２つ折りにされて重ね合された前記一対のスリットに隣接する連結部が挿通され、該隣接する連結部が２つ折りにされて重ね合された前記一対のスリットに次の連結部が挿通されることが繰り返されて連なることを特徴とする。
【０００８】
また、本考案に係る装飾品において、前記連結部の一対のスリットは、前記連結部の長手方向に交わる中心線で対称となる位置に形成されていることが好ましい。
【０００９】
また、本考案に係る装飾品において、連なった前記複数の連結部の端部に連なる飾り部を備え、前記飾り部は、前記端部の連結部が２つ折りにされて重ね合された前記一対のスリットに挿入され、複数のスリットにより構成される複数の平紐が両端部に形成されており、前記複数の平紐を通すための一対のスリットが複数形成されていることが好ましい。
【考案の効果】
【００１０】
本考案によれば、複数の連結部がスリットに挿通されて連結される。これにより、編み込んだり、縫い付けたりすることなく形成することができる。
【図面の簡単な説明】
【００１１】
【図１】本考案に係る実施形態の装飾品を示す図である。
【図２】本考案に係る実施形態の装飾品を巻いた状態を示す図である。
【考案を実施するための形態】
【００１２】
以下に、本考案に係る実施の形態について添付図面を参照しながら詳細に説明する。  以下では、全ての図面において同様の要素には同一の符号を付し、重複する説明を省略する。また、本文中の説明においては、必要に応じそれ以前に述べた符号を用いるものとする。
【００１３】
図１は、装飾品１０を示す図である。図１（ａ）は２枚の連結部１２と１枚の飾り部１４とを展開した様子を示す図である。図１（ｂ）は、２枚の連結部１２と１枚の飾り部１４とを連結した様子を示す図である。
【００１４】
図１（ｃ）は、複数枚の連結部１２と１枚の飾り部１４とを連結して装飾品１０を形成した様子を示す図である。図２は、装飾品１０を巻いた状態を示す図である。図２（ａ）は、装飾品１０を巻いた斜視図である。図２（ｂ）は、装飾品１０をユーザー２に巻いた様子を示す図である。
【００１５】
装飾品１０は、複数の連結部１２と、飾り部１４とを含んで構成される。装飾品１０は、毛糸などを編み込んでつくったり、縫い付けたりすることなく、複数の連結部１２と飾り部１４とが連結されて形成されたマフラー（装飾具）である。
【００１６】
連結部１２は、所定の面積を有する表面と裏面とを含んで構成された四隅が丸みを有する略長方形の形状を有している。連結部１２は、所定の間隔をおいて形成された一対のスリット１６を有している。
【００１７】
連結部１２の寸法は、例えば、長手方向に約２４ｃｍで短手方向に約１２ｃｍに設定することができ、一対のスリット１６は、約２ｃｍ程度の切り込みが入れられることにより形成される。連結部１２の厚みは、例えば、２ｍｍ程度に設定することができる。
【００１８】
連結部１２は、ポリエチレンテレフタラートで作られた柔らかい起毛仕上げの繊維素材で構成されており、長手方向に交わる方向で折り曲げ可能である。
【００１９】
各連結部１２には、所定の色が着色されており、すべて同一の色で着色されてもよいが、異なる色で着色してデザイン的な幅を持たせて美的外観に楽しみを持たせることも好適である。
【００２０】
連結部１２の一対のスリット１６は、連結部１２の長手方向に交わる中心線１１で対称となる位置に形成されている。これにより、連結部１２が中心線１１で折り曲げられたときには、一対のスリット１６が重ね合わされて一つの貫通孔を形成する。
【００２１】
飾り部１４は、連なった複数の連結部１２の端部に連なるように連結される。飾り部１４は、端部の連結部１２が２つ折りにされて重ね合された一対のスリット１６に挿入されている。
【００２２】
飾り部１４は、複数のスリット１８により構成される複数の平紐１９が両端部に形成されており、複数の平紐１９を通すための一対のスリット２０が複数形成されている。
【００２３】
飾り部１４の一対のスリット２０は、飾り部１４の長手方向に交わる中心線１３で対称となる位置に形成されている。これにより、飾り部１４が中心線１３で折り曲げられたときには、一対のスリット２０が重ね合わされて一つの貫通孔を形成する。
【００２４】
飾り部１４の寸法は、例えば、長手方向に約４８ｃｍで短手方向に約１２ｃｍに設定することができる。長手方向に沿って５つのスリット１８が形成されて６本の平紐１９が両端部に形成される。飾り部１４の厚みは、例えば、２ｍｍ程度に設定することができる。
【００２５】
平紐１９の寸法は、長手方向に約１８ｃｍ程度であり、短手方向に約２ｃｍである。一対のスリット２０は、約２ｃｍ程度の切り込みが入れられることにより形成され、合計１２本の平紐１９が挿入可能ように設けられる。
【００２６】
飾り部１４は、ポリエチレンテレフタラートで作られた柔らかい起毛仕上げの繊維素材で構成されており、長手方向に交わる方向で折り曲げ可能である。
【００２７】
続いて、上記構成の装飾品１０の作用について説明する。装飾品１０は、複数の連結部１２と飾り部１４とを含んで構成されるが、最初に製造方法について説明する。最初に図１（ｂ）の左端に示されるように、基準となる一枚の連結部１２を中心線１１で折り曲げる。
【００２８】
左端で折り曲げられた連結部１２において、一対のスリット１６が重ねられて形成された貫通孔に、隣接する真ん中の連結部１２の端部を丸めて細くしながら貫通孔に通す。
【００２９】
真ん中の連結部１２もほぼ中央において折り曲げることで、一対のスリット１６を重ねて貫通孔を形成する。次に、真ん中の連結部１２の隣に飾り部１４の端部を丸めて細くしながら貫通孔に通す。
【００３０】
スリット１８と端部側のスリット２０の間を切り取って一体化させ、飾り部１４においてもほぼ中央部において折り曲げて対向する平紐１９を重ね合わせた状態で、夫々、重ね合された平紐１９を中央側のスリット２０に通すことで、図２（ｂ）に示されるように装飾品１０の端部をデザイン性に優れた紐状の装飾にすることができる。
【００３１】
上記では、装飾品１０の製造方法を分かりやすくするために、２つの連結部１２と１つの飾り部１４とを連結するものとして説明したが、もちろん、連結部１２の数を多くして長さを調整することが好ましく、例えば、図１（ｃ）のように所定の長さを有するようにしてもよい。
【００３２】
上記のように形成された装飾品１０は、毛糸などを編み込んでつくったり、縫い付けたりすることなく、複数の連結部１２と飾り部１４とが連結されて形成されたマフラーとして使用することができる。
【００３３】
また、一般的な大人が使用するためのサイズとしては、連結部１２を１６個連結し、その端部に飾り部１４を繋いだ程度の長さが使い勝手が良く、首に巻いた際にも美的外観も優れた状態にすることができるが、もちろん、適宜変更可能である。
【００３４】
このようにして形成され装飾品１０は、図２（ａ）に示されるように、連結された連結部１２を巻回することでマフラーとして機能させることができる。より具体的には、図２（ｂ）に示されるようにユーザー２の首に連結された連結部１２を巻き付け、飾り部１４を顎の下方に位置させることでお洒落なマフラーとして用いることができる。
【００３５】
上記では、装飾品１０は、人間が使用するマフラーであるものとして説明したが、もちろん、装着する対象は人間に限らず、例えば、人形や犬などの動物であってもよい。また、装飾品１０は、キーホルダーや置物であってもよい。
【００３６】
なお、上記では、連結部１２及び飾り部１４は、ポリエチレンテレフタラートで作られた柔らかい起毛仕上げの繊維素材で構成されるものとして説明したが、もちろん、その他の素材であってもよく、柔軟性を有する素材で構成されることが好ましい。
【符号の説明】
【００３７】
２  ユーザー、１０  装飾品、１１，１３  中心線、１２  連結部、１４  飾り部、１６，１８，２０  スリット、１９  平紐。
【図１】
0003215702.tif 000003
【図２】
0003215702.tif 000004